(57)【特許請求の範囲】
【請求項１】
空気中の水分を凝縮する凝縮器と、前記凝縮器の下方に配されて前記凝縮器の凝縮水を一時的に貯蔵する第１貯水槽と、前記凝縮器の側方に配されて上方から取り出し自在の第２貯水槽と、第１貯水槽から第２貯水槽へ水を導くポンプ及び導管と、を備え、
第２貯水槽を上方に取り出すための扉を開閉自在に設け、前記扉の全開時に前記導管の出口が第２貯水槽の上方から退避するように前記導管出口部を前記扉に取り付けたことを特徴とする除湿機。
【請求項２】
前記扉を開いたときに前記ポンプを停止させるスイッチを設けたことを特徴とする請求項１に記載の除湿機。
【請求項３】
第２貯水槽の給水口に設けられた弁を開閉する弁開閉部材を前記扉に設けたことを特徴とする請求項１または請求項２に記載の除湿機。
【請求項４】
除湿機本体の所定角度以上の傾斜または転倒を検知する検知手段を備え、前記検知手段の出力に基づいて前記扉を開く扉開成手段を設けたことを特徴とする請求項２または請求項３に記載の除湿機。
【請求項５】
除湿機本体の所定角度以上の傾斜または転倒を検知する検知手段を備え、前記検知手段の出力に基づいて前記弁を閉じる弁開閉手段を設けたことを特徴とする請求項３に記載の除湿機。
【請求項６】
水に浮上する浮上部材によって前記弁を構成し、第２貯水槽の水位上昇に伴う前記弁の上昇力で前記扉を開くようにしたことを特徴とする請求項３に記載の除湿機。
【請求項７】
第２貯水槽から溢れた水を第１貯水槽に回収する回収手段を設けるとともに、第１貯水槽の水位を検知する水位検知手段を設け、第１貯水槽の水位が所定水位に達したときに除湿機の運転を停止するようにしたことを特徴とする請求項１に記載の除湿機。
【請求項８】
第２貯水槽は、給水口に設けられる弁と、壁面から内側に突出した内方突出部とを有し、前記給水口からの流入水を前記弁により前記内方突出部上に導くことを特徴とする請求項１に記載の除湿機。
【発明の詳細な説明】
【０００１】
【発明の属する技術分野】
本発明は室内の空気中の水分を取り除く除湿機に関し、特に除湿した水分を蓄える貯水槽を取り出し自在に具備してなる除湿機に関する。
【０００２】
【従来の技術】
図１は従来の圧縮機を用いない（コンプレッサレス）除湿機の概略構成図である。１は外郭を構成する除湿機本体、２は第１領域２ａ、第２領域２ｂを通過しながら回転し空気中の水分を吸着・離脱する吸湿体を充填した回転体、３は放熱フィン３ａに嵌着された凝縮パイプ３ｂからなる凝縮器、４は室内の空気を凝縮器３を介して第１領域２ａ通過中の回転体２に導き、吸湿体に水分を吸着された除湿空気を室内に送り出す送風手段、５は第２領域２ｂ通過中の回転体２を加熱して吸湿体に吸着された水分を離脱させるためのヒータ、６はヒータ５で加熱された空気を第２領域２ｂ通過中の回転体２に導き、吸湿体から水分を離脱した加湿空気を凝縮器３の凝縮パイプ３ｂに導き、凝縮器３で水分が凝縮することで除湿された空気を室内に送り込む送風機、１０’は凝縮器３で凝縮した水を受けて貯える貯水槽であり、除湿機本体１の前面から取り出し自由に配設されている。
【０００３】
上記除湿機は、第１領域２ａを通過する回転体２に室内の空気を通して空気中の水分を吸湿体に吸着させる吸湿経路１３と、第２領域２ｂを通過する回転体２に加熱空気を通し吸湿体から水分を離脱させる再生経路１４との二経路を有し、吸湿経路１３では放熱フィン３ａ間を通過して凝縮パイプ３ｂを冷却した室内空気が第１領域２ａ通過中の回転体２に接触することにより回転体２内に充填された吸湿体にて水分を奪われ、除湿空気となって室内に送り出される。
【０００４】
なお、第１領域２ａは、室内空気の水分を吸湿体（回転体２）に吸着させるための空気通路で、第２領域２ｂは、再生経路の空気をヒータで加熱し、加熱空気として吸湿体（回転体２）より水分を離脱させるための空気通路である。
【０００５】
再生経路１４ではヒータ５によって加熱された空気が第２領域２ｂ通過中の回転体２内の吸湿体から水分を奪い取って吸湿体を再生させ、奪い取った水分を凝縮器３で凝縮させることで除湿がなされる。第２領域２ｂを通過することにより再生された回転体２内の吸湿体は矢印Ａ方向の回転によって第１領域２ａに移動し再び吸湿機能を発揮する。
【０００６】
【発明が解決しようとする課題】
上記構成の床置タイプの除湿機において、貯水槽１０’を凝縮器３の下部に設置するのは凝縮器３から落下する凝縮水を受けて貯蔵するのには合理的であるが、満水になった貯水槽１０’を取り出すために足元まで屈み込んで作業しなければならず使い勝手がよくないという課題がある。また貯水槽１０’を取り出すときや運ぶときに水をこぼすことがあり改善の余地があった。また、貯水槽１０’に流入する水が貯水槽１０’内の水面に直接落下するようになっているので、落下した際に生じる水音が使用者に不快感を与えるという隠れた課題があった。
【０００７】
本発明は取り出しやすい貯水槽を有するとともに、転倒させても水がこぼれないような除湿機を提供することを目的とする。
【０００８】
また本発明は使用者に不快感を与えないような除湿機を提供することを目的とする。
【０００９】
【課題を解決するための手段】
上記目的を達成するために本発明は、空気中の水分を凝縮する凝縮器と、前記凝縮器によって凝縮された水を貯蔵し取り出し自在に配された貯水槽と、前記貯水槽へ凝縮された水を導くポンプと導管と、を備えている。この構成によると、凝縮器から滴下する凝縮水は取り出しやすい位置に設置された貯水槽にポンプによって適時送水される。
【００１０】
また本発明は、空気中の水分を凝縮する凝縮器と、前記凝縮器によって凝縮された水を一時的に貯蔵する第１貯水槽と、取り出し自在に配された第２貯水槽と、第１貯水槽から第２貯水槽へ水を導くポンプと導管と、を備えている。この構成によると、凝縮器下部に配置された第１貯水槽から取り出しやすい位置に設置された第２貯水槽に凝縮水がポンプによって適時移し替えられるようになる。
【００１１】
また本発明は、前記取り出し自在に配された貯水槽を上方に取り出すための扉を開閉自在に設け、前記扉の全開時に前記導管の出口が該貯水槽の上方から退避するように前記導管出口部を前記扉に取り付けている。この構成によると、扉を開けると導管が扉とともに退避して貯水槽が上方に取り出されるようになっている。
【００１２】
また本発明は、前記扉を開いたときに前記ポンプを停止させるスイッチを設けている。この構成によると、扉を開けるとスイッチが働いてポンプが停止される。
【００１３】
また本発明は、前記扉の開閉にて前記取り出し自在に配された貯水槽の給水口に設けられた弁を開閉する弁開閉部材を前記扉に設けている。この構成によると、扉を開けると貯水槽の弁が閉じられ、扉を閉じると貯水槽の弁が開くようになっている。
【００１４】
また本発明は、除湿機本体の所定角度以上の傾斜または転倒を検知する検知手段を備え、前記検知手段の出力に基づいて前記扉を開く扉開成手段を設けている。この構成によると、検知手段により除湿機の傾斜あるいは転倒を検知すると前記扉が開くことによって運転が停止される。
【００１５】
また本発明は、除湿機本体の所定角度以上の傾斜または転倒を検知する検知手段を備え、前記検知手段の出力に基づいて前記弁を閉じる弁閉成手段を設けている。この構成によると、検知手段により除湿機の傾斜あるいは転倒を検知すると前記弁が閉じられる。
【００１６】
また本発明は、水に浮上する浮上部材によって前記弁を構成し、前記取り出し自在に配された貯水槽の貯水位上昇に伴う前記弁の上昇力で前記扉を開くようにしている。この構成によると、貯水槽の水位上昇に伴って浮上部材が上昇して貯水槽入口が閉じられる。
【００１７】
また本発明は、第２貯水槽から溢れた水を第１貯水槽に回収する回収手段を設けるとともに、第１貯水槽の水位を検知する水位検知手段と設け、第１貯水槽の水位が所定水位に達したときに運転を停止するようにしている。この構成によると、第１貯水槽から第２貯水槽に水が移し替えられる際に、溢れた水が第１貯水槽へ回収され、第１貯水槽が所定水位（満水）になると運転が停止される。
【００２２】
また本発明は、前記弁から前記貯水槽内壁へ流入水を伝導させるための内方突出部を前記貯水槽の壁面に形成している。この構成によると、貯水槽の給水口から流入した水は突出した内壁上に弁から落下した後、内壁面を流下して水面に至る。
【００２３】
【発明の実施の形態】
本発明の実施形態を図２乃至図１６を参照して説明する。これらの図において従来例と同一の部材については同じ符号を付している。図２は本発明の第１実施形態を示す概略構成図である。
【００２４】
同図によると、第１領域２ａ（室内空気の水分を吸湿体（回転体２）に吸着させるための空気通路である。）を通過する回転体２に室内の空気を通し空気中の水分を吸湿体に吸着させる吸湿経路１３と、第２領域２ｂ（再生経路の空気をヒータで加熱し、加熱空気として吸湿体（回転体２）より水分を離脱させるための空気通路である。）を通過する回転体２に加熱空気を通して吸湿体から水分を離脱させる再生経路１４との二経路を有し、吸湿経路１３ではフィルター７を通って放熱フィン３ａ間を通過し、凝縮パイプ３ｂを冷却した室内空気が第１領域２ａ通過中の回転体２に接触することにより回転体２内に充填された吸湿体にて水分を奪われ、除湿空気となって室内に送り出される。
【００２５】
再生経路１４ではヒータ５によって加熱された空気が第２領域２ｂ通過中の回転体２内の吸湿体から水分を奪い取って吸湿体を再生させ、奪い取った水分を凝縮器３で凝縮させることで除湿がなされる。そして凝縮された凝縮水は１次貯水槽１０に入水管１０ａを通じて貯水される。
【００２６】
密閉タンクにて形成された１次貯水槽１０には上壁を貫通してポンプ９と水位検知装置２６とが配設され、端部に入水管１０ａが接続されている。ポンプ９には送水管１１が接続され送水管１１の先端には２次貯水槽８の上方に設けられた給水部１１ａが接続されている。給水部１１ａは樹脂成形された漏斗容器であり、除湿機本体１に開閉自在に設けられた扉２２裏面に水密状態に取り付けられている。
【００２７】
給水部１１ａには２次貯水槽８に給水するノズル３３と、２次貯水槽８の上蓋８ａに設けられた閉止弁１２の押圧部１２ａを押し下げて閉止弁１２を開く突起部３４が一体成形されている。送水管１１は扉２２の開閉が自在にできるように軟質の樹脂パイプからなり、一点鎖線で示す扉２２の全開状態と実線で示す扉２２の閉成状態とに湾曲対応できるように配設されている。
【００２８】
扉２２が閉成状態では閉止弁１２の押圧部１２ａが突起部３４によって押圧され、遮蔽部材１２ｂが押し下げられることによって給水口８ｂの下端に設けられた密閉部８ｃとの間に間隙が生じており、給水部１１ａのノズル３３から滴下した水が給水口８ｂから２次貯水槽８に供給されるようになっている。
【００２９】
扉２２が上方に開かれると突起部３４が退避してバネ１６の付勢力により遮蔽部材１２ｂが上昇して密閉部８ｃに密接し、給水口８ｂから漏水しないようになっている。また、扉２２の開閉によりオフ、オンする扉スイッチ３０が除湿機１の上壁に設けられ、扉２２が開けられるとポンプ９が停止し給水部１１ａへの送水が停止してノズル３３からの漏水を防止するようになっている。
【００３０】
上記構成により、凝縮器３によって凝縮された水は入水管１０ａを通って１次貯水槽１０に貯えられ、貯水が第１の所定水位以上（ポンプ９の吸込口より上方に約２ｃｍの水位）に達したことを水位検知装置２６が検知するとポンプ９が駆動されて貯水を給水部１１ａに汲み出す。汲み出された給水部１１ａの水はノズル３３から２次貯水槽８の上蓋８ａに滴下し、給水口８ｂから遮蔽部材１２ｂを経由して２次貯水槽８に貯水される。１次貯水槽１０の貯水が汲み出されて第２の所定水位（ポンプ９の吸込口より上方に約１ｃｍの水位）まで減ったことを水位検知装置２６が検知するとポンプ９が停止して貯水が第１の所定水位に達するまで汲み出しを中断する。
【００３１】
上記汲み出し動作を繰り返して２次貯水槽８の貯水が満水（２次貯水槽８の容量の約８０％の水位）に達したことを後述する図８〜図９に示すスイッチ３６のような検知手段が検知するとポンプ９を停止する。そしてポンプ９が停止した状態で除湿運転が行われ１次貯水槽１０の貯水が第３の所定水位（１次貯水槽１０の上面蓋の裏面より下位へ約１ｃｍの水位）に達したことを水位検知装置２６が検知すると除湿運転が停止する。
【００３２】
満水になった２次貯水槽８を取り出すために扉２２が上方に開かれると突起部３４が退避してバネ１６の付勢力により遮蔽部材１２ｂが上昇して密閉部８ｃに密接し、取り出し中ならびに持ち運び中に２次貯水槽８から水が溢れる心配がなくなる。そして、貯水を空にした２次貯水槽８を除湿機にセットするとスイッチ３６（図８参照）が空の２次貯水槽８のセットを検知してポンプ９を駆動し、やがて１次貯水槽１０の貯水が汲み出され第１の所定水位まで減ったことを水位検知装置２６が検知すると除湿運転が再開される。
【００３３】
また、第２実施形態として上記入水管１０ａと送水管１１とをポンプ９を介して接続すれば１次貯水槽１０ならびに水位検知装置２６をなくすことができる。その場合には２次貯水槽８の貯水が満水に達したことを前記検知手段が検知すると除湿運転を停止するように構成する必要がある。更に遮蔽部材１２ｂを水より比重が軽くて水に浮く浮上部材で構成するとバネ１６をなくすことができ、図３に示すように２次貯水槽８の上部に取っ手１５を設けると取り出しならびに持ち運びを楽に行うことができる。
【００３４】
次に第３実施形態について図４を参照して説明する。本実施形態では第１実施形態に対して、除湿機が所定量以上傾斜した場合や転倒した場合にこれを検出する転倒検出装置２５と、転倒検出装置２５によって傾斜あるいは転倒を検知すると扉２２を開く扉開成装置２３とを設けている。従って除湿機が所定量以上傾斜あるいは転倒したときに２次貯水槽８の閉止弁１２が閉じて２次貯水槽８から水がこぼれないようになっている。
【００３５】
転倒検出装置２５の構造は図５に示すようになっている。除湿機を床面Ｆに設置するとレバー２５ａが押圧され、アクチュエータ２５ｄを介してマイクロスイッチ２５ｃがオンになる。除湿機が転倒するとレバー２５ａが引っ張りバネ２５ｂによって押し下げられてマイクロスイッチ２５ｃがオフになる。
【００３６】
転倒検出装置２５のマイクロスイッチ２５ｃがオフになると図６に示す扉開成装置２３のソレノイド４０がプランジャー４１を矢印Ａ１方向に押し出し、レバー４２を介してスピンドル４３を矢印Ａ２方向に下げる。そしてスピンドル４３が２次貯水槽８の上蓋８ａを押圧して扉２２を矢印Ａ３方向に開いて閉止弁１２が閉じられるようになっている。ソレノイド４０の配置を変えてプランジャー４１が直接２次貯水槽８の上蓋８ａを押圧するようにしてもよい。なお、４４、４５はマイクロスイッチ２５ｃがオンとなったときにレバー４２、スピンドル４３を戻すための圧縮バネである。
【００３７】
また、マイクロスイッチ２５ｃがオフになったときにポンプ９の運転を停止し、水が給水部１１ａから漏出しないようにする方が望ましい。さらにこの時に１次貯水槽１０が増水しないように除湿機１の運転を停止する。
【００３８】
次に第４実施形態について図７を参照して説明する。同図において、２次貯水槽８はトレイ３５上に載置されており、トレイ３５下部には圧縮バネ５０及びスイッチ３６が設置されている。このような構成にすることで２次貯水槽８を取り出したときはスイッチ３６がオフとなり、ポンプ９の運転を停止して水の漏出を防止することができるようになる。また、スイッチ３６のオンオフが切り換えられる重量を圧縮バネ５０の強さにより調節することによって２次貯水槽８に所定量の水が溜まったときにポンプ９の運転を停止することも可能である。
【００３９】
さらにスイッチ３６を図８に示すように２次貯水槽８の側方下部に配置し、図９の上面図（ａ）、正面図（ｂ）に示すように３つのスイッチ３６ａ、３６ｂ、３６ｃから構成してもよい（第５実施形態）。このようにすると空の２次貯水槽８をトレイ５０上に載置するとスイッチ３６ａがオンとなってポンプ９を運転可能とし、２次貯水槽８の貯水が満水近く（例えば２次貯水槽８の容量の約７０％の水位）に達したときにスイッチ３６ｂがオンとなって満水ランプ（不図示）が点滅するとともに報知音を鳴らして使用者に２次貯水槽の排水を促す。排水がなされなくて２次貯水槽８の貯水が満水（２次貯水槽８の容量の約８０％の水位）に達したことをスイッチ３６ｃが検知して強制的に運転を停止する。
【００４０】
次に第６実施形態について図１０を参照して説明する。同図によると扉２２の開閉を検知する扉開閉検出装置２０を設けており、扉２２が閉じられるとポンプ９を運転可能とし、扉２２が開かれるとポンプ９の運転を停止するようになっている。扉開閉検出装置２０の詳細構造は図１１に示すようになっており、扉２２が閉じられると押圧部２０ａが閉止弁１２を開くとともにスピンドル２７が上蓋８ａに当接して押し上げられる。
【００４１】
そしてスピンドル２７の傾斜面２７ａによってレバー２８を右方向に移動させてマイクロスイッチ２９がオンになり、ポンプ９が運転可能となる。扉２２が開かれた場合は圧縮バネ３１によってスピンドル２７、レバー２８が開放されてマイクロスイッチ２９がオフとなりポンプ９が運転停止されるようになっている。このようにすることで扉２２が開かれたときに送水管１１から水が漏出することがなくなる。
【００４２】
次に第７実施形態について図１２を参照して説明する。同図によると給水部１１ａにはパッキン１１ｂが設けられ扉２２を閉じると２次貯水槽８の上蓋８ａとの間が密閉されるようになっている。さらに給水部１１ａには１次貯水槽１０に至る配水管１９が設けられている。
【００４３】
このような構成とすることで、２次貯水槽８が増水してオーバーフローしたときに水は１次貯水槽１０に配水管１９を通じて戻され、１次貯水槽１０の水位が前記第３の所定水位まで上昇すると運転を停止させることができ、漏水を防止することができるようになる。また、図１３の第８実施形態に示すように２次貯水槽８を載置するトレイ３５から１次貯水槽１０に戻るように配水管１９を設けても同様の効果を得ることができる。
【００４４】
なお、第４乃至第８実施形態においてポンプ９を停止させるときに、１次貯水槽１０が増水しないように除湿機１の運転を停止する。
【００４５】
次に第９実施形態について図１４を参照して説明する。同図において、２次貯水槽８に内方突出部８ｄを設けて、閉止弁１２の遮蔽部材１２ｂの直径ＤＢを内方突出部８ｄの内径ＤＡよりも大きくしている。給水口８ｂから２次貯水槽８に侵入した水は遮蔽部材１２ｂ上に落下した後内方突出部８ｄに落下し、２次貯水槽８の内壁を伝って流下して水面に至る。このようにすると遮蔽部材１２から直接水面に水が落下したときに発生する落下音を生じさせないので騒音を防止することができるようになる。
【００４６】
また、図１５の第１０実施形態に示すように遮蔽部材１２ｂから垂れ下がる鎖状部材３２を設けて水を伝わせるようにしても同様の効果を得ることができる。ここで遮蔽部材１２ｂには図１６に示すように水を堰き止めるようなリブ４０を外周に形成され、その一部分を切り欠いた排水部３９に鎖状部材３２を設置して水を伝わせている。
【００４７】
【発明の効果】
以上説明したように、本発明によると、第２貯水槽を上方から取り出すように配設することができ、また、除湿機をコンパクトにできる。
【００４８】
また本発明によると、第２貯水槽を上方に取り出すために扉を開けると導管の出口が第２貯水槽の上方から自動的に退避するので第２貯水槽を上方から取り出す作業をスムーズに行うことができる。
【００４９】
また本発明によると、扉を開けると導管出口からの出水を自動的に停止するので、第２貯水槽の取り出し作業に伴ってポンプを停止させるという特別な操作が不要となる。
【００５０】
また本発明によると、第２貯水槽の取り出しや持ち運びの際に給水口から水がこぼれないように設けられた第２貯水槽の弁の開閉を扉の開閉にて行うので、第２貯水槽の取り出しの際には第２貯水槽の弁が必然的に閉じる機能を簡単な構造でかつ安価に提供できる。
【００５１】
また本発明によると、除湿機本体が所定角度以上傾斜したり転倒した際に第２貯水槽の弁が閉じて水がこぼれるのを防止する機能を簡単な構造でかつ安価に提供できる。
【００５２】
また本発明によると、除湿機本体が所定角度以上傾斜したり転倒した際に第２貯水槽の弁が閉じて水がこぼれるのを防止することができる。
【００５３】
また本発明によると、第２貯水槽の水位によって導管からの水の供給を自動的に停止できるので、第２貯水槽からのオーバーフローを確実に防止できる。
【００５４】
また本発明によると、第２貯水槽のオーバーフロー防止手段（水位検知手段およびポンプ停止手段）を設ける必要がなくなり、トータル的にコストダウンが図られ、異常時の床漏水防止にも効果的である。
【００５６】
また本発明によると、貯水槽の給水口に設けられる弁で内方突出部を介して貯水槽壁面へ流入水を案内し、貯水槽の給水口に流入する水が貯水槽の液面に直接落下して生じる水音をなくすことができる。
【図面の簡単な説明】
【図１】従来の除湿機を示す構成図である。
【図２】本発明の第１実施形態の除湿機を示す構成図である。
【図３】本発明の第２実施形態の除湿機を示す構成図である。
【図４】本発明の第３実施形態の除湿機を示す構成図である。
【図５】本発明の第３実施形態の除湿機に用いる転倒検出装置を示す構成図である。
【図６】本発明の第３実施形態の除湿機に用いる扉開成装置を示す構成図である。
【図７】本発明の第４実施形態の除湿機を示す構成図である。
【図８】本発明の第５実施形態の除湿機を示す構成図である。
【図９】本発明の第５実施形態の除湿機に用いる重量検知部を示す構成図である。
【図１０】本発明の第６実施形態の除湿機を示す構成図である。
【図１１】本発明の第５実施形態の除湿機に用いる扉開閉検知装置を示す構成図である。
【図１２】本発明の第７実施形態の除湿機を示す構成図である。
【図１３】本発明の第８実施形態の除湿機を示す構成図である。
【図１４】本発明の第９実施形態の除湿機を示す構成図である。
【図１５】本発明の第１０実施形態の除湿機を示す構成図である。
【図１６】本発明の第１０実施形態の除湿機に用いる遮蔽部材を示す上面図である。
【符号の説明】
１    除湿機
２    回転体
３    凝縮器
４    送風手段
５    ヒーター
６    送風機
７    フィルター
８    ２次貯水槽
９    ポンプ
１０    １次貯水槽
１１    送水管
１２    閉止弁
２０    扉開閉検出装置
２２    扉
２３    扉開成装置
２５    転倒検出装置
３２    鎖状部材
【図１】
0003554187.tif 000002
【図２】
0003554187.tif 000003
【図３】
0003554187.tif 000004
【図４】
0003554187.tif 000005
【図５】
0003554187.tif 000006
【図６】
0003554187.tif 000007
【図７】
0003554187.tif 000008
【図８】
0003554187.tif 000009
【図９】
0003554187.tif 000010
【図１０】
0003554187.tif 000011
【図１１】
0003554187.tif 000012
【図１２】
0003554187.tif 000013
【図１３】
0003554187.tif 000014
【図１４】
0003554187.tif 000015
【図１５】
0003554187.tif 000016
【図１６】
0003554187.tif 000017